(57)【特許請求の範囲】
【請求項１】
表紙または、見返しの一部に、磁気記録部と、非接触ＩＣモジュールが通帳のあらかじめ定められた本文部印字領域の外側に対応するうらみ返しに配置され、磁気記録部に記録された情報と同一の情報が、該非接触ＩＣモジュールのＩＣチップ部に記録される情報の一部として記録されていることを特徴とする通帳。
【請求項２】
前記磁気記録部は通帳のうら表紙に設けられ、前記非接触ＩＣモジュールは、前記磁気記録部の外側に配置されていることを特徴とする、請求項１に記載の通帳。
【請求項３】
前記非接触ＩＣモジュールは、通帳のうら表紙に配置されていることを特徴とする、請求項１から２何れかに記載の通帳。
【請求項４】
前記非接触ＩＣモジュールが通帳のうら見返しに配置されていることを特徴とする、請求項１から２何れかに記載の通帳。
【請求項５】
前記ＩＣモジュールは、樹脂シート間に挟み込まれており、その隙間には常温で柔軟性を保持する樹脂が充填されていることを特徴とする、請求項１から４何れかに記載の通帳。
【発明の詳細な説明】
【０００１】
【発明の属する技術分野】
この発明は、預金取引のために、通帳の表紙部に設けられている磁気記録部に書込まれたデータと少なくとも同じ内容を、書込みが可能な非接触ＩＣモジュールのＩＣチップに書込んでおいて、前記磁気記録部に書かれている磁気データが外部磁気によって、破壊された場合でも、磁気記録部に書込まれているデータと同一のデータを、ＩＣチップから引き出せるようにして、より安全性を高めた通帳に関するものである。なお、通帳には銀行で使われる預金通帳、郵便局で使われる貯金通帳などがあるが、本明細書で言う預金は貯金に、預金者は貯金者に置き換えても良い。
【０００２】
【従来の技術】
図９は、従来の通帳の表紙を開いて横から見た側面図である。
【０００３】
図９において、１は、通帳の種別や、銀行名営業所名などが印刷されている、おもて表紙で、３は、おもて表紙１の真裏側に位置するおもて見返し、７は、預金年月日、支払い金額、お預かり金額、差引残高等を印字記録できるようになっている本文部で、通常１６ページから２４ページの枚数構成になっている。４は、本文部７の最後の頁と接するうら見返し、２は、うら見返し４の真裏側に当たり表面に出ているうら表紙である。おもて表紙と、うら表紙は同一材料の一枚の厚紙からなり、予め中央部をミシン糸８で縫い合わされた本文部の、一番下側の紙と接着剤によって貼り合わされている。
【０００４】
通帳のおもて見返し３、および、うら見返し４を含む本文部７と、通帳の表紙は、別工程で製造された後、前記のごとく接着剤で貼り合わされている。
【０００５】
うら表紙２の表面の一部には多くの場合、磁気記録部５が設けてあり、表紙の紙に直接塗布したり、ポリエステルベースに塗布されたものを型抜きして接着剤で貼り合わせたりしている。
磁気記録部５の形状、諸特性などは当該通帳への情報書込み、または、読み取りを行うＡＴＭ（Automated Teller Machine）などの機種によって異なる。
【０００６】
預金取引を行うにあたって、上記の通帳のうら表紙２に形成された磁気記録部５に預金者の固有情報を記録しこれを読み取ることで、入金、預金引き出し業務の正確化、効率化を計ってきた。更に通帳には目に見える情報として通帳を発行した銀行名、銀行コード、営業店名、営業店コード、および、預金者の氏名、口座番号、お届け印、サイン等が施されている。
【０００７】
【発明が解決しようとする課題】
しかし、前述の従来の磁気記録部を備えた通帳では、磁気記録部に記録された情報が、外部の磁界によって破壊される事故が後をたたない。
【０００８】
通帳を持ち歩く頻度は、男性より女性の方が高く、しかも、女性はハンドバックなどの入れ物の中にいれて持ち歩くことが多く、ハンドバッグの中には、前記の通帳の他に、外出時頻繁に使用するものや、外出時に購入される品物が一緒に入っている場合が多い。
前記品物の中には磁気を使っている製品もあり、入れ物であるハンドバック本体が、留め金に強力な磁石を使っているものも少なくない。
【０００９】
磁気を使っている日用品としては、たとえば健康機具である貼り磁石や、磁気を用いたネックレス、ハンドバッグの磁気留め金等の磁気製品が挙げられる。これら磁気製品は、抗磁力が１０００〜３０００エルステッド程度あり、通帳に使われている磁気記録部材の抗磁力、３００〜７００エルステッドと比較すると、約３〜１０倍強く、記録データを破壊する能力を十分に持っている。
【００１０】
ＡＴＭで、磁気通帳を使って自動入金・自動払い出しを行うことが通常になっている現状で、預金者に対するサービスを万全にしようとする時に、磁気データが壊れないようにするか、壊れたら簡単に修復できるようにしておくことが必要になってきている。
【００１１】
【課題を解決するための手段】
そこで、本発明は前述のような課題を解決し安全で利便性の高い通帳を提供するものである。
【００１２】
上記課題を解決する本発明の通帳は、表紙または、見返しの一部に、磁気記録部と、非接触ＩＣモジュールが通帳のあらかじめ定められた本文部印字領域の外側に対応するうらみ返しに配置され、磁気記録部に記録された情報と同一の情報が、該非接触ＩＣモジュールのＩＣチップ部に記録される情報の一部として記録されていることを特徴とする。
【００１３】
かかる通帳であるため、ＡＴＭの指示に対応して、通帳のＩＣ部分に記録されたデータをＡＴＭが読み込んで破壊された磁気記録部に再度書込みを行うことで、破壊される前と同じ状態に修復させることによっても、課題を解決することができる。
【００１４】
預金の取引の際に、新しい取引結果が通帳の本文部に印字されるために、当該非接触ＩＣモジュールは印字部分を避けて通帳に取り付ける必要がある。請求項１記載の通帳において、前記非接触ＩＣモジュールを、通帳のあらかじめ定められた本文印字領域の外側に対応する表紙部、または、見返し部に形成させることによってプリンタの破壊、ＩＣモジュールの破壊という課題を解決する。
【００１５】
また、通帳のうら表紙部には、磁気記録部が設けてあるため、その部分に当該非接触ＩＣモジュールを貼り付けた場合、貼り付けた部分が、表紙の厚さより厚くなるために磁気ヘッドによる読み取り・書込みが正しく行われなくなる。そのために請求項２の発明は、請求項１記載の通帳において、前記磁気記録部は通帳のうら表紙に設けられ、前記非接触ＩＣモジュールは、前記磁気記録部の外側に配置されていることによって磁気ヘッドによる書込みエラー、当該ＩＣモジュールの破壊という課題を解決する。
【００１６】
また、請求項３の発明は、請求項１から２何れかに記載の通帳において、非接触ＩＣモジュールを通帳のうら表紙に形成することを特徴とするものである。
【００１７】
請求項３に記載の如く非接触ＩＣモジュールを通帳のうら表紙に形成させた場合、運搬中に、バッグ等の中で他の同居品との衝突によって破壊されることからさらに通帳を守るために、請求項４の発明は、請求項１から２何れかに記載の通帳において、当該非接触ＩＣモジュールを通帳のうら見返し部に形成させることにより、上記課題を解決する。
【００１８】
請求項５の発明は、請求項１から４何れかに記載の通帳において、前記非接触ＩＣモジュールを樹脂シート間に挟み、その隙間には常温で柔軟性を保持する樹脂が充填されていることによって、アンテナ、ＩＣチップなど、部品の厚さ段差を吸収させる。さらに併せて、非接触ＩＣモジュールを通帳の表紙が有する柔軟性に馴染ませることによって、上記課題を解決する。
【００１９】
【発明の実施の形態】
以下、図面等を参照して、本発明の通帳の一実施形態について説明する。
【００２０】
図１は、本発明の通帳の表紙を１８０度開いた状態を本文部側から見た場合の外観図である。図２は、図１の通帳を横から見た側面図である。図３は、プリンタが印字しない通帳の本文における領域を示した図である。図４は、通帳のうら表紙に磁気記録部を施した通帳をうら表紙側から見た平面図の一例である。図５は、本発明の通帳に使用する非接触ＩＣモジュールの平面図、図６は、図５のＡ−Ａ線断面図である。図７は、図５におけるＩＣチップ、および、アンテナを保護するためにカバーフィルムおよび樹脂で全体を封じ込めた状態を示す。図８は、通帳の一般的な製造方法である表紙と、ミシン糸で綴じ合わされた本文部が貼り合わせられる前の状態を横から見た側面図である。
【００２１】
図１に示すように、本発明の通帳の特徴は非接触ＩＣモジュールを磁気通帳に併せ持たせたことにある。図１中、３はおもて見返し、４はうら見返し、５はうら表紙に貼り付けた磁気テープからなる磁気記録部、６は本発明に使用する非接触ＩＣモジュール、７は本文部である。当該ＩＣモジュールを設ける位置は、特に限定されるものではないが、ＩＣモジュールが外部から衝撃によるアタックを受けにくいうら見返し面が好ましく、同時に、前記と同様な理由で磁気記録部と重ならない位置で、本文印字部分を避けた位置が好ましい。
【００２２】
図２において、１はおもて表紙、２は通常はうら表紙、３はおもて見返し、４はうら見返し、５は磁気記録部、６は非接触ＩＣモジュール、７は本文部である。
【００２３】
おもて表紙１、および、うら表紙２は、耐久性に富むクロス紙と呼ばれる紙が使用されている。一方、おもて見返し３と、うら見返し４は本文部７と同一の紙で構成されており、本文部を折り曲げた中央部においてミシン糸８で綴じ合わされている。前記ミシン糸で綴じ合わされた本文部の一番外側にある本文部の紙と、前記表紙のクロス紙が接着剤で全面貼り合わされて通帳が形成されている。
【００２４】
おもて表紙には、一般的には普通預金通帳、定期預金通帳などの、通帳の種類を明示する印刷がなされ、また、通帳を発行した銀行のロゴマーク、銀行名、実際に通帳を発行した営業店名、預金者名、店番、口座番号が表示されている。
【００２５】
おもて見返し３には、預金者、銀行の更に詳細な記述がプリント、または、手書きされている。
【００２６】
本文部７の最初のページは、通帳の利用方法や、口座を開設した際に登録した印鑑の印影を貼り付けるエリアが設けられていることが多い。
【００２７】
本文２頁以降が、預金、および、引き出しの履歴をプリントするエリアである。年月日、適用、支払い金額、預かり金額、差し引き残高、ページ自動めくりのためのバーコードなどが印刷されており、図４に示す斜線の部分を除いた全域が印字エリアに設定されている。
【００２８】
本文部最終ページ、および、うら見返しには、多くは預金規定が書かれている。
【００２９】
図１は、本発明の実施形態の一例であるが、うら見返し４の右下には非接触ＩＣモジュール６が貼りつけられている。貼りつける位置は、図３に示す通帳本文部印字エリアの外側、すなわち非印字エリア（図中の斜線を施した部分）に設定されている。非印字エリアに設けるのが好ましいのは印字の際の衝撃を避けるためである。
【００３０】
また、通帳を折りたたんだときに、非接触ＩＣモジュールを貼りつけた位置が突出しないように、前記ＩＣモジュールの中のＩＣチップを薄く研磨して前記ＩＣモジュール全体の厚さを、出来る限り薄くすることが好ましい。また、非接触ＩＣモジュール６の大きさは、約２０ｍｍ幅の非印字エリア内に収まる大きさとすることが好ましい。
【００３１】
うら表紙２には、図４に示すように表紙の片側に寄った部分に磁気記録部５が設けられるが、これには磁気記録用のテープを粘着材を使用して表紙に貼り付けているものが多い。この貼り付け位置、および、磁気テープの仕様はＡＴＭ機の種類、仕様メーカーによって調整する必要がある。
【００３２】
次に、本発明の通帳を構成する材料について説明する。
【００３３】
表紙には、６０番手綿布のクロス紙（厚さ０．１５０ｍｍ）が多く使用される。また、本文は、９０Ｋｇ／四六判（厚さ０．１０５ｍｍ）の紙が使用されることが多く、ページ数が多くなるにつれ紙の厚さ薄くなっていく。通帳の表紙を含めた総厚は、通帳を中央で折りたたんで閉じたときに、ＡＴＭメーカーの取り決めで２ｍｍまでとなっているために、本発明の場合、非接触ＩＣモジュールの厚さが加わることを考慮し、本文の構成を薄めの基準にしている。
【００３４】
前記非接触ＩＣモジュールの厚さの選択によって、また、該ＩＣモジュールの表紙部への取り付け方、厚さ設定の方法によっては、本文部の枚数を１２枚、１４枚にすることができる。この場合、本文に使用する紙は、９０Ｋｇ／四六判以下の番手を選択する。
【００３５】
本文部と表紙の接着には、酢酸ビニル系のエマルジョン接着剤が多く使用される。これは、紙同士の接着の場合、接着剤の粘度がある程度高いこと、乾燥が緩やかであることが要求されるからである。
【００３６】
次に、本発明の非接触ＩＣモジュールの構成、および、使用する材料について図５、図６、および、図７を参照して説明する。
非接触ＩＣモジュールは、端末との距離によって、遠隔型、近接型、密着型に分類され、また、使用される周波数帯には、中波、マイクロ波などの電磁波がある。ここでは、近接型に相当するタイプのモジュールを使用する。
【００３７】
図５は本発明の通帳に使用する非接触ＩＣモジュールの平面図で、図６は図５のＡ―A線断面図である。ベースフィルム６１上にアンテナ６２とＩＣチップ６３を配し、アンテナ、および、ＩＣチップは、ベースフィルムに接着剤で固定されている。
【００３８】
図７のように、アンテナ、およびＩＣチップがむき出しとなっている状態を破壊から守るために、カバーフィルム６５によって覆う仕様になっている。更に、ベースフィルム６１とカバーフィルムの間には常温で柔軟性を保持する樹脂６４を流し込み、前記それぞれのフィルムとＩＣチップ、および、アンテナを固定する役割りと通帳の折り曲げ耐性を付与する充填剤的特性を持たせている。
【００３９】
図７において、ベースフィルム６１、および、カバーフィルム６５は、ポリイミド、ポリエチレンテレフタレート、ポリカーボネート、ポリ塩化ビニル、など柔軟性を有する材料が使用される。アンテナ６２は、直径０.０３ｍｍ〜0.０５ｍｍの絶縁被覆された銅線を数回ループ状に巻き、その両端をＩＣチップ上の２つの端子に導電接着剤で接続している。
図７の非接触ＩＣモジュールのシート化に当たっては、所定の型枠にて樹脂成型して行っても、樹脂シートによるラミネート方式によっても良い。
【００４０】
また、図５、図６、図７の非接触ＩＣモジュールのＩＣチップ６３は、ＬＳＩとコンデンサと配線板とで構成されていて、前記樹脂フィルムの上に形成されていてもよい。
【００４１】
図７に示す非接触ＩＣモジュールは、ＩＣチップの安全性の面で、通帳のうら見返しの前記プリントエリアと、磁気記録領域を避けた位置に粘着剤で貼り付けるのが好ましい。
【００４２】
通帳に貼り付けられた非接触ＩＣモジュールは、カバーフィルムが透明な場合、内側のＩＣ部、アンテナ部が透けてみえるため、着色するか、塗料をコーティングして、内側を見えなくすることが出来る。
【００４３】
出来上がった通帳は、本文部総厚が約１ｍｍ、ＩＣモジュール部が０.２５ｍｍ〜０.３５ｍｍ、モジュールを貼り付ける粘着剤が０.１ｍｍ、表紙のおもて、うら合わせて約０.５ｍｍで、通帳全体の厚さは、折りたたんだ状態で２ｍｍ以内におさめるようにすることが好ましい。
【００４４】
【実施例】
（実施例）
次に、図面を参照して、本発明の実施例について説明する。
【００４５】
図１、および図２において、表紙１および表紙２の材料として、６０番手の綿布クロス紙（厚さ０.１５０ｍｍ）を使用し、本文部７は、９０Ｋｇ／四六判（厚さ０.１０５ｍｍ）を使用した。また、本文の枚数を１０枚とし、通帳を折り曲げた時に、全体の厚さが接着剤を含め、１.６ｍｍになるように設定した。
【００４６】
また、非接触ＩＣモジュール６について、外形を１５ｍｍ×２０ｍｍとし、通帳のうら見返しの磁気記録テープが貼ってある側と逆側のうら見返し部に貼り付けた。貼り付け位置は、図１に示すようにうら見返し４の短辺側から８ｍｍ、長辺側から３ｍｍの位置に当該ＩＣモジュールの端面が来るように配置した。
【００４７】
図４の磁気記録部材として、ポリエステルベースに磁気塗料をコーティングし乾燥させた後、磁気コーティングされた側と逆側には、強粘着タイプの接着剤を塗布して乾燥させた後、その上から剥離紙を貼り合わせた状態のものを、幅１６ｍｍ、長さ８０ｍｍの大きさに型抜きし、剥離紙を取り除いて通帳のうら表紙２に図４に示すように、磁気記録部５として貼り付けた。磁気記録材は抗磁力３００エルステッドの一般に使用されているものを選定した。
【００４８】
図７の非接触ＩＣモジュールについて、ベースフィルム６１、および、カバーフィルム６５には、０.０５ｍｍの厚さのポリエステルフィルムを使用し、充填樹脂６４には、未硬化状態の常温硬化型のエポキシ樹脂を使用した。また、アンテナ部には、直径０.０５ｍｍの絶縁被覆された銅線を使用し、ＩＣチップには、厚さを０.１０ｍｍに研磨したものを使用した。
【００４９】
まず、ベースフィルムには、エポキシ接着剤をあらかじめ薄く塗布しておき、粘着性が残っている状態で、３重に巻いたループアンテナをセットし、更に、前記ＩＣチップを、前記アンテナの銅線の巻きはじめの部分に近接した位置に置いた。エポキシ接着剤を乾燥後、アンテナの両端をＩＣチップの接続端子に、導電性接着剤で固定した。この後、前記充填樹脂を０.１５ｍｍの厚さに塗布し、これらアンテナ、ＩＣチップに蓋をするように、前記カバーフィルムで覆った。前述の充填樹脂が乾燥した後、総厚０．２５ｍｍとなったＩＣモジュールを１５ｍｍ×２０ｍｍサイズの型で打ち抜き、ベースフィルムの裏側に弱粘着タイプの粘着材を塗布して、乾燥後、通帳のうら見返しの前記位置に貼り付けた。
【００５０】
前記実施例により作成した通帳を実際にテスト用のＡＴＭに通して、磁気情報の消去、非接触ＩＣモジュールのデータを読み込み、磁気記録部への再書き込み、磁気記録部からのデータ読み込み、預金残高の確認、入金、本文部への入金金額のプリント、引き出し、前記入金から引き出しまで、１０回の繰り返しテストを行い、ページの自動めくり状況を確認してプリント状態をチェックし、正しく行われていることを確認した。この後、磁石で再度磁気記録部を消去し、前記非接触ＩＣモジュールのデータ読み込みから、同じ操作を繰り返し２回のテストを行った結果、２回共に一連の動作が正常に行われたことが確認出来、前記ＩＣモジュール部も正しく動作した。
【００５１】
【発明の効果】
本発明の、通帳において、うら見返しに非接触ＩＣモジュールを貼り付けて、磁気記録部のデータを総て該ＩＣモジュールのＩＣチップに書込んで、磁気記録部のデータを磁石で消去した後、実験用ＡＴＭにより通帳の非接触ＩＣモジュールと交信させ、磁気データの再記録、本文印字テストを実施したが、周囲の磁界によって磁気データが失われても、ＩＣに記録されたデータが利用でき、更にその失われたデータを磁気記録部に再書き込み出来たことで、安全性はもとより、利便性も高いという効果が確認された。
【図面の簡単な説明】
【図１】本発明の通帳の表紙を１８０度開いた状態を本文部側から見た場合の外観図
【図２】図１の通帳を横から見た側面図
【図３】プリンタが印字しない通帳の本文における領域を示した図
【図４】通帳のうら表紙に磁気記録部を施した通帳をうら表紙側から見た平面図の一例
【図５】本発明の通帳に使用する非接触ＩＣモジュールの平面図、
【図６】図５のＡ―Ａ線断面図
【図７】図５におけるＩＣチップ、および、アンテナを保護するためにカバーフィルムおよび樹脂で全体を封じ込めた状態
【図８】通帳の一般的な製造方法である表紙と、ミシン糸で綴じ合わされた本文部が貼り合わせられる前の状態を横から見た側面図
【図９】従来の通帳の表紙を開いて横から見た側面図
【符号の説明】
１  おもて表紙
２  うら表紙
３  おもて見返し
４  うら見返し
５  磁気記録部
６  非接触ＩＣモジュール
７  本文部
８  ミシン糸
６１  ベースフィルム
６２  アンテナ
６３  ＩＣチップ
６４  樹脂
６５  カバーフィルム
【図１】
0004202522.tif 000002
【図２】
0004202522.tif 000003
【図３】
0004202522.tif 000004
【図４】
0004202522.tif 000005
【図５】
0004202522.tif 000006
【図６】
0004202522.tif 000007
【図７】
0004202522.tif 000008
【図８】
0004202522.tif 000009
【図９】
0004202522.tif 000010